(57)【要約】【課題】植物に十分に光を照射できる栽培用スクリーン装置、栽培装置を提供する。【解決手段】栽培用スクリーン装置５０は、光を反射する反射面を有するスクリーン５１と、スクリーン５１を、反射面が光を反射可能に配置された状態と、反射面が光を反射しないように退避した状態との間で、変形可能に支持するスクリーン支持部６０と、を備える。【選択図】図３
2016198082.tif 000002
【特許請求の範囲】
【請求項１】
光を反射する反射面を有するスクリーンと、
前記スクリーンを、反射面が光を反射可能に配置された状態と、前記反射面が光を反射しないように退避した状態との間で、変形可能に支持するスクリーン支持部と、
を備える栽培用スクリーン装置。
【請求項２】
請求項１に記載の栽培用スクリーン装置において、
前記スクリーン支持部は、
前記スクリーンを巻き取るローラを備え、
反射可能に配置した状態では、前記スクリーンを前記ローラから送り出された状態とし、
退避した状態では、前記スクリーンを前記ローラに巻き取った状態とすること、
を特徴とする栽培用スクリーン装置。
【請求項３】
請求項１に記載の栽培用スクリーン装置において、
前記スクリーン支持部は、
前記スクリーンをカーテン状に吊るして支持し、
反射可能に配置した状態では、前記スクリーンを展開した状態とし、
退避した状態では、前記スクリーンを束ねた状態とすること、
を特徴とする栽培用スクリーン装置。
【請求項４】
請求項１から請求項３のいずれかに記載の栽培用スクリーン装置を備え、
上側から見た状態で、前記栽培用スクリーン装置は、栽培空間の縁部に配置されていること、
を特徴とする栽培装置。
【請求項５】
請求項１から請求項３のいずれかに記載の栽培用スクリーン装置と、
複数の照明部とを備え、
前記栽培用スクリーン装置は、隣合う照明部の間に配置されていること、
を特徴とする栽培装置。
【請求項６】
請求項４又は請求項５に記載の栽培装置において、
前記栽培用スクリーン装置は、前記スクリーンを、反射面が光を反射可能に配置された状態と、前記反射面が光を反射しないように退避した状態との間で、変形駆動する駆動部を備え、
植物に対する光の照度を検出する照度検出部と、
前記照度検出部の出力に応じて、前記駆動部を制御して、前記スクリーンを変形駆動する制御部とを備えること、
を特徴とする栽培装置。
【請求項７】
請求項１から請求項３のいずれかに記載の栽培用スクリーン装置において、
前記スクリーンは、第１面と、前記第１面の反対側の面に配置される第２面とを備え、前記第１面及び前記第２面の両方が前記反射面であること、
を特徴とする栽培用スクリーン装置。
【請求項８】
請求項１から請求項３、請求項７のいずれかに記載の栽培用スクリーン装置において、
前記反射面の一部又は全面の反射角度を調節する反射角度調節部を備えること、
を特徴とする栽培用スクリーン装置。
【請求項９】
請求項１から請求項８のいずれかに記載の栽培用スクリーン装置において、
前記スクリーンは、
第１スクリーン、第２スクリーンと、
前記第１スクリーン及び前記第２スクリーンを、重なり部を有するように、前記重なり部の両端で接合する接合部と、
反射面が光を反射可能に配置された状態で、前記第１スクリーン及び前記第２スクリーンを設置領域に取り付ける取り付け部とを備え、
前記重なり部のうち両端の前記接合部間の部分は、開口可能なこと、
を特徴とする栽培用スクリーン装置。
【請求項１０】
請求項９に記載の栽培用スクリーン装置において、
前記接合部は、前記第１スクリーン及び前記第２スクリーンを、分離可能に接合すること、
を特徴とする栽培用スクリーン装置。
【請求項１１】
請求項９又は請求項１０に記載の栽培用スクリーン装置において、
前記第１スクリーン及び前記第２スクリーンを、折り返した状態で保持する保持部を備えること、
を特徴とする栽培用スクリーン装置。
【請求項１２】
光を反射する反射面を有する第１スクリーン、第２スクリーンと、
前記第１スクリーン及び前記第２スクリーンを、重なり部を有するように、前記重なり部の両端で接合する接合部と、
反射面が光を反射可能に配置された状態で、前記第１スクリーン及び前記第２スクリーンを設置領域に取り付ける取り付け部とを備え、
前記重なり部のうち両端の前記接合部間の部分は、開口可能なこと、
を特徴とする栽培用スクリーン装置。
【請求項１３】
請求項１２に記載の栽培用スクリーン装置において、
前記接合部は、前記第１スクリーン及び前記第２スクリーンを、分離可能に接合すること、
を特徴とする栽培用スクリーン装置。
【請求項１４】
請求項１２又は請求項１３に記載の栽培用スクリーン装置において、
前記第１スクリーン及び前記第２スクリーンを、折り返した状態で保持する保持部を備えること、
を特徴とする栽培用スクリーン装置。
【請求項１５】
請求項１２から請求項１４のいずれかに記載の栽培用スクリーン装置において、
前記第１スクリーン及び前記第２スクリーンは、第１面と、前記第１面の反対側の面に配置される第２面とを備え、前記第１面及び前記第２面の両方が前記反射面であること、
を特徴とする栽培用スクリーン装置。
【発明の詳細な説明】
【技術分野】
【０００１】
本発明は、植物の栽培に利用される栽培用スクリーン装置、栽培装置に関するものである。
【背景技術】
【０００２】
従来、農業分野において、農作物周辺の地面等を覆うことにより、農作物に向けて光を反射させる栽培用シートがあった（例えば特許文献１，２）
しかし、栽培用シートを用いても、農作物への光の照射が不十分な場合があった。
【先行技術文献】
【特許文献】
【０００３】
【特許文献１】特開２０１４−２３３２０６号公報
【特許文献２】特開２００５−４３４２７号公報
【発明の概要】
【発明が解決しようとする課題】
【０００４】
本発明の課題は、植物に十分に光を照射できる栽培用スクリーン装置、栽培装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、光を反射する反射面を有するスクリーン（５１、２５１、４５１、５５１、６５１）と、前記スクリーンを、反射面が光を反射可能に配置された状態と、前記反射面が光を反射しないように退避した状態との間で、変形可能に支持するスクリーン支持部（６０、２６０）と、を備える栽培用スクリーン装置である。
・第２の発明は、第１の発明の栽培用スクリーン装置において、前記スクリーン支持部（６０）は、前記スクリーン（５１）を巻き取るローラ（６２）を備え、反射可能に配置した状態では、前記スクリーンを前記ローラから送り出された状態とし、退避した状態では、前記スクリーンを前記ローラに巻き取った状態とすること、を特徴とする栽培用スクリーン装置である。
・第３の発明は、第１の発明の栽培用スクリーン装置において、前記スクリーン支持部（２６０）は、前記スクリーン（２５１）をカーテン状に吊るして支持し、反射可能に配置した状態では、前記スクリーンを展開した状態とし、退避した状態では、前記スクリーンを束ねた状態とすること、を特徴とする栽培用スクリーン装置である。
・第４の発明は、第１の発明から第３の発明のいずれかの栽培用スクリーン装置（５０Ａ）を備え、上側から見た状態で、前記栽培用スクリーン装置は、栽培空間の縁部に配置されていること、を特徴とする栽培装置である。
・第５の発明は、第１の発明から第３の発明のいずれかの栽培用スクリーン装置と、複数の照明部（３０）とを備え、前記栽培用スクリーン装置（５０Ｂ、３５０Ｂ）は、隣合う照明部（３０）の間に配置されていること、を特徴とする栽培装置である。
・第６の発明は、第４の発明又は第５の発明の栽培装置（３５０）において、前記栽培用スクリーン装置は、前記スクリーン（５１）を、反射面が光を反射可能に配置された状態と、前記反射面が光を反射しないように退避した状態との間で、変形駆動する駆動部を備え、植物（Ｐ）に対する光の照度を検出する照度検出部（３８１）と、前記照度検出部の出力に応じて、前記駆動部を制御して、前記スクリーンを変形駆動する制御部（３９２）とを備えること、を特徴とする栽培装置である。
・第７の発明は、第１の発明から第３の発明のいずれかの栽培用スクリーン装置において、前記スクリーン（５１）は、第１面と、前記第１面の反対側の面に配置される第２面とを備え、前記第１面及び前記第２面の両方が前記反射面（５１ｂ、５１ｂ）であること、を特徴とする栽培用スクリーン装置である。
・第８の発明は、第１の発明から第３の発明、第７の発明のいずれかの栽培用スクリーン装置（４５０、５５０）において、前記反射面の一部又は全面の反射角度を調節する反射角度調節部（４７０、５８１〜５８４）を備えること、を特徴とする栽培用スクリーン装置である。
・第９の発明は、第１から第８のいずれかの発明の栽培用スクリーン装置において、前記スクリーンは、第１スクリーン、第２スクリーンと、前記第１スクリーン及び前記第２スクリーンを、重なり部を有するように、前記重なり部の両端で接合する接合部と、反射面が光を反射可能に配置された状態で、前記第１スクリーン及び前記第２スクリーンを設置領域に取り付ける取り付け部とを備え、前記重なり部のうち両端の前記接合部間の部分は、開口可能なこと、を特徴とする栽培用スクリーン装置である。
・第１０の発明は、第９の発明の栽培用スクリーン装置において、前記接合部は、前記第１スクリーン及び前記第２スクリーンを、分離可能に接合すること、を特徴とする栽培用スクリーン装置である。
・第１１の発明は、第９又は第１０の発明の栽培用スクリーン装置において、前記第１スクリーン及び前記第２スクリーンを、折り返した状態で保持する保持部を備えること、を特徴とする栽培用スクリーン装置である。
・第１２の発明は、光を反射する反射面を有する第１スクリーン（９６１）、第２スクリーン（９６２）と、前記第１スクリーン及び前記第２スクリーンを、重なり部（９６５）を有するように、前記重なり部の両端で接合する接合部（９６１ａ，９６２ａ）と、反射面が光を反射可能に配置された状態で、前記第１スクリーン及び前記第２スクリーンを設置領域に取り付ける取り付け部（９６１ｂ，９６２ｂ）とを備え、前記重なり部のうち両端の前記接合部間の部分（９６５ａ）は、開口可能なこと、を特徴とする栽培用スクリーン装置である。
・第１３の発明は、第１２の発明の栽培用スクリーン装置において、前記接合部（９６１ａ，９６２ａ）は、前記第１スクリーン（９６１）及び前記第２スクリーン（９６２）を、分離可能に接合すること、を特徴とする栽培用スクリーン装置である。
・第１４の発明は、第１２又は第１３の発明の栽培用スクリーン装置において、前記第１スクリーン（９６１）及び前記第２スクリーン（９６２）を、折り返した状態で保持する保持部（９６１ｃ，９６２ｃ）を備えること、を特徴とする栽培用スクリーン装置である。
・第１５の発明は、第１２から第１４のいずれかの発明の栽培用スクリーン装置において、前記第１スクリーン（９６１）及び前記第２スクリーン（９６２）は、第１面と、前記第１面の反対側の面に配置される第２面とを備え、前記第１面及び前記第２面の両方が前記反射面であること、を特徴とする栽培用スクリーン装置である。
【発明の効果】
【０００７】
本発明によれば、植物に十分に光を照射できる栽培用スクリーン装置、栽培装置を提供できる。
【図面の簡単な説明】
【０００８】
【図１】第１実施形態の栽培設備１を手前側Ｙ１から見た図である。
【図２】第１実施形態の栽培装置１０を上側Ｚ２から見た状態において、各部材の配置を説明する図である。
【図３】第１実施形態の栽培装置１０を手前側Ｙ１から見た図である。
【図４】第１実施形態の栽培用スクリーン装置５０の斜視図である。
【図５】第２実施形態の栽培用スクリーン装置２５０の斜視図である。
【図６】第３実施形態の栽培装置３１０を手前側Ｙ１から見た図である。
【図７】第４実施形態の栽培用スクリーン装置４５０の模式図である。
【図８】第５実施形態の栽培用スクリーン装置５５０の模式図である。
【図９】第６実施形態の栽培用スクリーン装置６５０の模式図である。
【図１０】第７実施形態の栽培用スクリーン装置７５０の模式図である。
【図１１】第８実施形態の栽培装置８０１の模式図である。
【図１２】第９実施形態の栽培装置９１０を上側Ｚ２から見た状態において、各部材の配置を説明する図（図２に対応する図）である。
【図１３】第９実施形態の栽培装置９１０を手前側Ｙ１から見た断面図（図１２の１３−１３断面図）である。
【図１４】第９実施形態の栽培用スクリーン装置９５０の取り付け方法を説明する斜視図である。
【図１５】第９実施形態の栽培用スクリーン装置９５０の使用方法を説明する斜視図である。
【発明を実施するための形態】
【０００９】
（実施形態）
以下、図面等を参照して、本発明の実施形態について説明する。
（第１実施形態）
図１は、第１実施形態の栽培設備１を手前側Ｙ１から見た図である。
実施形態、図面では、説明と理解を容易にするために、ＸＹＺ直交座標系を設けた。この座標系は、図１の状態を基準に、左右方向Ｘ（左側Ｘ１、右側Ｘ２）、奥行方向Ｙ（手前側Ｙ１、奥側Ｙ２）、鉛直方向Ｚ（下側Ｚ１、上側Ｚ２）を表す。
栽培設備１は、水耕栽培用の設備である。栽培設備１は、建屋２の中に複数の栽培装置１０を備える。
栽培装置１０は、左右方向Ｘ、奥行方向Ｙにそれぞれ複数配置され、また、複数段の棚３の上に設置されることにより鉛直方向Ｚにも複数配置されている。
【００１０】
以下、１つの栽培装置１０について、詳細に説明する。
（栽培装置１０の構成）
図２は、第１実施形態の栽培装置１０を上側Ｚ２から見た状態において、各部材の配置を説明する図である。
図３は、第１実施形態の栽培装置１０を手前側Ｙ１から見た図である。
図４は、第１実施形態の栽培用スクリーン装置５０の斜視図である。
栽培装置１０の外形は、直方体である。図２に示すように、栽培装置１０の内部には、複数の植物Ｐが奥行方向Ｙに平行に一列に配置され、また、左右方向Ｘに複数列配置されている。
栽培装置１０は、壁１１、天井１２、栽培槽２０、照明部３０、栽培用スクリーン装置５０を備える。
【００１１】
壁１１、天井１２は、栽培装置１０の内部、外部を仕切るケースを構成する部分である。ケース内部は、植物Ｐの栽培空間１５である。
壁１１は、栽培装置１０の四方の側部それぞれに配置されている。壁１１は、透明な材料（アクリル樹脂、ガラス等）から形成されることにより透光性を有するが、これに限定されず、不透明であってもよい。
天井１２は、栽培空間１５の上部を形成する板材である。天井１２には、照明部３０、栽培用スクリーン装置５０が取り付けられている。
【００１２】
栽培槽２０は、植物Ｐを栽培するための槽である。栽培槽２０は、植物Ｐに与える養液を収容する。詳細は省略するが、養液は、栽培槽２０及び貯留タンクの間で、ポンプによって循環される。
【００１３】
照明部３０は、植物Ｐが光合成をするための光を発生する部分である。
図２に示すように、上側Ｚ２から見た状態では、照明部３０の外形は、奥行方向Ｙに細長い長方形である。照明部３０は、左右方向Ｘに複数配列されている。照明部３０は、例えば、複数の点光源（発光ダイオード等）を配列した照明装置、蛍光灯を備える照明装置等である。なお、植物Ｐは、照明部３０の直下に、一列に配置された例を示すが、これに限定されない。
【００１４】
栽培用スクリーン装置５０は、植物Ｐへの光の照度を調整するための装置である。
図２に示すように、上側Ｚ２から見た状態では、栽培用スクリーン装置５０の外形は、長方形である。奥行方向Ｙにおいて、栽培用スクリーン装置５０の長さと、照明部３０の長さとは、同等である。
栽培用スクリーン装置５０は、栽培空間１５の縁部であって４つの壁１１に平行な領域に、それぞれ配置されている。また、栽培用スクリーン装置５０は、隣合う照明部３０の間にそれぞれ配置されている。
【００１５】
図４に示すように、栽培用スクリーン装置５０は、スクリーン５１、スクリーン支持部６０を備える。
スクリーン５１は、シート状の部材である。スクリーン５１は、例えば、不織布等の基材５１ａの片面又は両面に、反射シート５１ｂを積層したものを用いることができる。図４は、反射シート５１ｂを、基材５１ａの両面に積層したものである。
反射シート５１ｂは、スクリーン５１の最表層に配置される。反射シート５１ｂの露出面は、実際に光を反射する反射面である。反射面の可視領域での反射率は、例えば、７０％以上である。なお、この反射率は、７５％以上が好ましく、８０％以上がより好ましい。
なお、基材５１ａの両面に反射シート５１ｂを積層したスクリーン５１は、一方の面（第１面）と、一方の面の反対側の面に配置される他方の面（第２面）との両方が、反射面である。
スクリーン５１の下端には、円柱状の重り５２が設けられている。
【００１６】
反射シート５１ｂを基材５１ａの片面のみ積層した形態にするか、反射シート５１ｂを基材５１ａの両面に積層した形態にするかの選択は、例えば、植物Ｐへの光の照射態様に応じて決定できる。実施形態では、栽培空間１５の縁部の４つの壁１１に平行に配置される栽培用スクリーン装置５０は、前者の形態であり、照明部３０の間に配置される栽培用スクリーン装置５０は、後者の形態である。この理由は、後述する。なお、これらを区別する場合には、適宜、前者を栽培用スクリーン装置５０Ａ、後者を栽培用スクリーン装置５０Ｂと示す。
【００１７】
スクリーン支持部６０は、基部６１、ローラ６２、ホイール６３、ボールチェーン６４を備える。
基部６１は、スクリーン支持部６０の基礎となる骨組である。基部６１は、長手方向の両端に配置された両端プレート６１ａと、上側Ｚ２に配置された上プレート６１ｂとを備える。上プレート６１ｂが天井１２に固定されることにより、スクリーン支持部６０は、天井１２に取り付けられる。
【００１８】
ローラ６２は、スクリーン５１を巻き取る部材である。ローラ６２の外周面には、反射シート５１ｂの上端部が固定されている。
ホイール６３は、ローラ６２の一端に固定されている。ホイール６３の中心軸と、ローラ６２の中心軸とは同軸である。ホイール６３の外周面には、複数の溝６３ａを備える。
ローラ６２及びホイール６３は、一体で回転可能に、両端プレート６１ａに支持されている。
ボールチェーン６４は、ホイール６３に巻き掛けられている。ボールチェーン６４のボール６４ａは、ホイール６３の溝６３ａに係合する。
【００１９】
上記形態により、作業者（例えば、栽培設備１の管理者等）がボールチェーン６４を周回するように操作することにより、ホイール６３が回転する。これに応じて、ホイール６３及びローラ６２が、回転軸６０ｃ回りに一体で回転する。これにより、スクリーン５１は、ローラ６２から送り出された状態と、ローラ６２に巻き取られた状態との間で変形する。
例えば、図４の状態は、スクリーン５１のほぼ全体が、ローラ６２から送り出された状態である。作業者は、この状態から、ボールチェーン６４を矢印Ａ６４方向に周回させるように操作すれば、スクリーン５１を、ローラ６２に巻き取ることができる。
【００２０】
なお、スクリーン５１は、ローラ６２から送り出された状態では、重り５２の作用によって、ピンと張った状態で下側Ｚ１に垂れ下がる。このため、反射面は、鉛直面に平行に配置される。
また、ローラ６２は、ストッパ（図示せず）によって回転抵抗が与えられることにより、スクリーン５１及び重り５２の重量のみでは、回転しないようになっている。このため、スクリーン５１は、ローラ６２に巻き取られた状態から、重力によって引き出されることはない。また、必要に応じて、スクリーン５１は、ローラ６２からその全体ではなく、その途中（例えば半分程度）まで送り出された状態を維持できる。
【００２１】
（栽培設備１の使用方法）
図３、図４を参照して、栽培設備１の使用方法について説明する。
図３に示すように、スクリーン５１は、送り出されることにより、栽培空間１５内の反射位置５５に、吊り下がるような態様で配置される。反射位置５５は、栽培用スクリーン装置５０の領域であって、スクリーン５１が配置されることにより反射面が照明部３０からの光を植物に向けて反射する位置である（矢印Ａ，Ｂ１，Ｂ２参照）。
【００２２】
図３に示すように、栽培設備１は、通常は、栽培空間１５の縁部に配置された栽培用スクリーン装置５０Ａのスクリーン５１を送り出された状態で使用する。栽培用スクリーン装置５０Ａに対応する反射位置５５は、栽培空間１５内のうち壁１１近傍の領域の部分であり、かつ、壁１１に平行な領域である。
図３の矢印Ａに示すように、照明部３０からの光は、スクリーン５１で反射後、斜め下側Ｚ１に向けて進み、植物Ｐの側方（壁１１側）から降り注ぐように進む。このため、反射光は、植物Ｐの全長に渡って照射する。なお、栽培用スクリーン装置５０Ａのスクリーン５１は、光を栽培空間１５の内側にのみ反射するので、反射シート５１ｂを片面のみに積層したものでよい。
【００２３】
ここで、栽培空間１５の壁１１近傍は、照明部３０からの光が届きにくい等の理由から、栽培空間１５の中央部に比べると、照度が低い傾向を有する。実施形態では、前述したように、照明部３０からの光を、反射面で反射させることにより、壁１１近傍に配置された植物Ｐに対して、十分に光を照射できる。これにより、壁１１近傍に配置された植物Ｐであっても、局所的に光を照射して、他の植物Ｐと同様に生育できる。
【００２４】
また、栽培設備１は、必要に応じて、以下のようにも使用できる。
（１）種々の理由によって、縁部以外の植物Ｐであっても、他の植物Ｐよりも生育が遅い場合がある。
図３に示すように、このような場合には、照明部３０間に配置された一部の栽培用スクリーン装置５０Ｂのスクリーン５１を送り出すことにより、スクリーン５１を反射位置５５に配置してもよい。これにより、照明部３０からの光を、これらの植物Ｐに向けて反射させることができる（矢印Ｂ１参照）。
これにより、栽培用スクリーン装置５０Ｂは、栽培空間１５内の植物Ｐの生育を、局所的に調整できる。
また、栽培用スクリーン装置５０Ｂのスクリーン５１は、両面に反射シート５１ｂが積層されている。このため、照明部３０からの光は、隣の列に配置されている植物Ｐにも光を反射される（矢印Ｂ２参照）。これにより、栽培用スクリーン装置５０Ｂは、照明部３０からの光を有効利用できる。
【００２５】
（２）植物Ｐの全長ではなく一部のみに光を照射する必要がある場合には、スクリーン５１を、途中まで送り出した状態で使用してもよい。すなわち、スクリーン５１を、反射位置５５の一部領域にのみ配置した状態で使用してもよい。
【００２６】
（３）図１に示すように、建屋２に窓部５が設けられている場合には、外光Ｌが植物Ｐに照射する時間帯は、スクリーン５１を巻き取った状態にしてもよい。また、一部の栽培用スクリーン装置５０のスクリーン５１を送り出すことにより、外光Ｌを反射させて、植物Ｐに導いてもよい。
【００２７】
収穫、植物Ｐの生育の確認等の作業時には、作業者は、ボールチェーン６４を操作することにより、スクリーン５１を巻き取って上昇させればよい。これにより、スクリーン５１は、反射位置５５から退避した状態に変形する。作業終了後は、作業者は、ボールチェーン６４を操作することにより、スクリーン５１を送り出して降下させればよい。これにより、スクリーン５１は、再度、反射位置５５に配置される。このように、栽培用スクリーン装置５０の操作は、容易である。
【００２８】
以上説明したように、本実施形態の栽培設備１は、栽培用スクリーン装置５０によって光を反射させることにより、植物Ｐに十分に光を照射できる。また、栽培設備１は、栽培空間１５内の植物Ｐの生育のバラツキを小さくできる。さらに、栽培設備１は、照明部３０の照度自体を増やす必要がないので、省電力であるため低コストで運用できる。
【００２９】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態の栽培用スクリーン装置２５０の斜視図である。
第２実施形態の栽培設備は、栽培用スクリーン装置２５０の形態のみが、第１実施形態とは異なる。第２実施形態では、栽培用スクリーン装置２５０の形態のみを説明する。栽培空間内における栽培用スクリーン装置２５０の配置は、第１実施形態と同様である。
【００３０】
栽培用スクリーン装置２５０は、栽培空間に、スクリーン２５１をカーテン状に吊るして支持する。
スクリーン２５１の積層構成は、第１実施形態と同様である。
スクリーン２５１は、折り線２５１ｃ、挿通孔２５１ｄを備える。
折り線２５１ｃは、スクリーン２５１に設けられた押罫、ミシン目等である。折り線２５１ｃは、鉛直方向Ｚに平行である。
挿通孔２５１ｄは、スクリーン２５１の上縁部に、複数設けられている。
【００３１】
スクリーン支持部２６０は、吊るし棒２６１を備える。
吊るし棒２６１は、壁１１、天井（図３参照）等に固定される。吊るし棒２６１は、スクリーン２５１の挿通孔２５１ｄに挿通される。これにより、スクリーン支持部２６０は、スクリーン２５１をカーテン状に吊るして支持できる。
【００３２】
図５（Ａ）に示すように、スクリーン２５１の反射面を反射位置５５に配置する場合には、作業者は、スクリーン２５１を折り線２５１ｃで開き、スクリーン２５１を展開した状態にする。これにより、スクリーン２５１の反射面は、鉛直面に平行に配置される。この場合、反射面は、折り目によって、ある程度波状であってもよい。すなわち、反射面の平面度は、照明部からの光を、植物に向けて反射できる程度であればよい。
図５（Ｂ）に示すように、スクリーン２５１を反射位置５５から退避させる場合には、作業者は、スクリーン２５１を折り線２５１ｃで折り畳むようにして、束ねた状態にすればよい。
なお、スクリーン２５１は、図示しないが、その側端部又は下端部に面ファスナ等の固定具を備えていてもよい。展開した状態のスクリーン２５１を栽培用スクリーン装置の本体又はその部品に固定具で固定することによって、空調装置からの送風等によりスクリーン２５１が搖動して反射特性が変動してしまうおそれを抑制できる。
【００３３】
以上説明したように、本実施形態の栽培用スクリーン装置２５０は、簡単な構成でスクリーン２５１を支持することができる。
なお、スクリーン２５１は、カーテンレール及びリング等を用いて、支持してもよい。
【００３４】
（第３実施形態）
次に、本発明の第３実施形態について説明する。
図６は、第３実施形態の栽培装置３１０を手前側Ｙ１から見た図（図３に対応する図）である。
栽培装置３１０は、栽培槽３２０、栽培用スクリーン装置３５０、照度検出部３８１、高さ検出部３８２、重量検出部３８３、制御装置３９０を備える。
栽培槽３２０は、植物Ｐの列毎に設けられている。実施形態では、植物Ｐが４列に配置されているので、４つの栽培槽３２０を備える。
【００３５】
栽培用スクリーン装置３５０は、ローラ６２を回転駆動するモータ３６５（駆動部）を備える。なお、スクリーン５１、ローラ６２、基部６１等の詳細な説明は、省略するが、これらの構成は、第１実施形態と同様である（図４参照）。
モータ３６５が駆動することによりローラ６２が回転駆動し、スクリーン５１がローラ６２から送り出されたり、巻き取られる。これにより、スクリーン５１は、反射位置５５に配置されたり、反射位置５５から退避する。
このように、本実施形態は、モータ３６５によってスクリーン５１を変形駆動できる。
【００３６】
照度検出部３８１、高さ検出部３８２、重量検出部３８３は、栽培槽３２０毎に、それぞれ設けられている。栽培装置３１０は、４つの栽培槽３２０を備えるので、４組のこれら検出部の組み合わせを備える。
照度検出部３８１、高さ検出部３８２は、ブラケット（図示せず）等によって、栽培槽３２０に固定されている。重量検出部３８３は、栽培槽３２０の底部に配置されている。
【００３７】
照度検出部３８１は、照度（光の強度）を検出する検出部である。照度検出部３８１は、列毎に植物Ｐに照射される光の強度を検出できる。
高さ検出部３８２は、植物Ｐの高さを検出する検出部である。高さ検出部３８２は、鉛直方向Ｚに複数配置されている（高さ検出部３８２ａ〜３８２ｄ参照）。高さ検出部３８２は、発光部、受光部を備える。高さ検出部３８２は、発光部から受光部への光を植物Ｐが遮るか否かによって、植物Ｐの高さを検出する。
重量検出部３８３は、栽培槽３２０、養液、植物Ｐ等の総重量を検出する検出部である。重量検出部３８３は、列毎に、これらの総重量を検出する。なお、以下の説明では、こられの総重量を単に「栽培槽３２０の重量」という。
【００３８】
制御装置３９０は、栽培装置３１０を統括制御するコンピュータである。制御装置３９０は、各検出部、モータ３６５に対して、電気ケーブル等で接続されており、信号の伝達、電力供給等が可能である。
制御装置３９０は、記憶部３９１、制御部３９２を備える。
記憶部３９１は、栽培装置３１０の動作に必要なプログラム、情報等を記憶するためのハードディスク、半導体メモリ素子等の記憶装置である。
制御部３９２は、栽培装置３１０の動作に必要な演算処理をしたり、栽培装置３１０を統括的に制御するための装置である。制御部３９２は、例えば、ＣＰＵ（中央処理装置）等から構成される。制御部３９２は、記憶部３９１に記憶された各種プログラムを適宜読み出して実行することにより、実施形態の各種機能を実現している。
【００３９】
栽培装置３１０の動作について説明する。
制御部３９２は、各検出部の出力に基づいて、以下のように栽培用スクリーン装置３５０を制御する。
（１）照度に基づく制御
制御部３９２は、複数の照度検出部３８１の出力に基づいて、複数の列の照度を、それぞれ判定する。制御部３９２は、これらを比較し、列間における照度の差を算出する。制御部３９２は、照度の差が判定基準よりも大きいと判定した場合には、照度が均一になるように、栽培用スクリーン装置３５０を制御する。
【００４０】
図６に示すように、制御部３９２は、例えば、左から３列目の照度が他の列よりも低いと判定した場合には、左から３つ目の栽培用スクリーン装置３５０−３のモータ３６５を制御して、スクリーン５１を反射位置５５に配置する（矢印Ｃ参照）。これにより、３列目の植物Ｐ３への光の強度を向上できる。
一方、制御部３９２は、例えば、左から１列目の照度が他の列よりも高いと判定した場合には、左端の栽培用スクリーン装置３５０−１のモータ３６５を制御して、上記とは逆に、スクリーン５１を反射位置５５から退避させる（図示は省略する）。これにより、１列目の植物Ｐ１への光の強度を低くできる。
このように、栽培装置３１０は、列間における照度のバラツキを小さくすることができる。
【００４１】
（２）植物Ｐの高さに基づく制御
制御部３９２は、複数の高さ検出部３８２の出力に基づいて、複数の列の植物Ｐの高さを、それぞれ判定する。制御部３９２は、これらを比較し、列間における植物Ｐの高さの差を算出する。制御部３９２は、高さの差が判定基準よりも大きいと判定した場合には、高さの差が大きい列に対応した栽培用スクリーン装置３５０を制御する。
【００４２】
図６に示す例では、左から３列目の植物Ｐ３は、他の列の植物Ｐよりも、生育が遅い。このため、左から３列目の植物Ｐ３の高さは、最上部の高さ検出部３８２ａの検出高さに達していない。一方、他の列の植物Ｐの高さは、最上部の高さ検出部３８２ａの検出高さに達している。
このような場合、制御部３９２は、上記（１）と同様に、左から３列目に対応した栽培用スクリーン装置３５０−３を制御して、スクリーン５１を反射位置５５に配置する。これにより、３列目の植物Ｐへの光の強度を向上し、列間における生育のバラツキを小さくできる。
なお、詳細な説明は省略するが、各列の植物Ｐ１の高さが他の列の植物Ｐの高さよりも高い場合には、制御部３９２は、上記（１）と同様に、栽培用スクリーン装置３５０−１のスクリーン５１を、反射位置５５から退避させればよい。
このように、栽培装置３１０は、植物Ｐの生育度合の差に応じて、栽培用スクリーン装置３５０を制御することにより、列間における生育のバラツキを小さくできる。
【００４３】
（３）重量に基づく制御
制御部３９２は、複数の重量検出部３８３の検出に基づいて、複数の列の栽培槽３２０の重量を、それぞれ判定する。制御部３９２は、これらを比較し、列間における栽培槽３２０の重量の差を算出する。制御部３９２は、重量の差が判定基準よりも大きいと判定した場合には、重量の差が大きい列に対応した栽培用スクリーン装置３５０を制御する。
ここで、植物Ｐは、生育するに従って、重量が増加する。このため、各列の植物Ｐの生育度合は、各列の栽培槽３２０の重量に基づいて、判定できる。
そのため、制御部３９２は、上記（２）と同様に、重量に応じて、栽培用スクリーン装置３５０を制御することにより、列間における生育のバラツキを小さくできる。
【００４４】
以上説明したように、本実施形態の栽培装置３１０は、各検出部の出力に基づいて栽培用スクリーン装置３５０を制御するので、各列の植物Ｐへの光を、詳細に制御できる。
なお、上記（１）から（３）の制御は、適宜組み合わせてもよい。この場合には、照度、高さ、重量の優先順位を設けて、制御の重み付けをしてもよい。
また、本実施形態の構成は、第２実施形態に対しても適用できる。この場合には、例えば、カーテン状のスクリーンにワイヤを設けて、ワイヤを送り駆動することにより、スクリーンを展開した状態と、束ねた状態との間で変形駆動する駆動部を設ければよい。
【００４５】
（第４実施形態）
図７は、第４実施形態の栽培用スクリーン装置４５０の模式図である。
第４実施形態の栽培用スクリーン装置４５０は、スクリーン４５１と、重り４５２と、反射角度調節部４７０とを備えている。
反射角度調節部４７０は、重り４５２の先端の設けられたフック４７１と、このフック４７１が掛けられるピン４７２〜４７４と、バー４７５とを備えている。
図７（Ａ）に示すように、フック４７１がピン４７２に掛けられているときには、照明部からの光Ｃは、スクリーン４５１へ角度αで入射し、光Ｄ１の方向に反射する。
図７（Ｂ）に示すように、フック４７１がピン４７３に掛けられているときには、照明部からの光Ｃは、スクリーン４５１全体に角度βで入射し、光Ｄ２の方向に反射する。
図７（Ｃ）に示すように、スクリーン４５１がバー４７５で折り曲げられ、フック４７１がピン４７４に掛けられているときには、照明部からの光Ｃは、スクリーン４５１上部では、角度βで入射して光Ｄ２の方向に反射し、スクリーン４５１下部では、角度γで入射して光Ｄ３の方向に反射する。
このように、本実施形態によれば、フック４７１をピン４７２からピン４７３に掛け替えるだけで、スクリーン４５１全面の入射角度を、角度αから角度βにして、光を異なる方向（Ｄ１→Ｄ２）に反射させることができる。
また、バー４７５に引っ掛けて、フック４７１をピン４７３からピン４７４に掛け替えることにより、スクリーン４５１上部の入射角度と、スクリーン４５１下部の入射角度を、異なる角度（角度βと角度γ）で入射させ、光を異なる方向（Ｄ２、Ｄ３）に反射させることができる。
なお、バーやピンの数を増やすことにより、反射光の方向をさらに細かに調節したり、１つのスクリーンで、複数の異なる角度に反射することができる。
【００４６】
（第５実施形態）
図８は、第５実施形態の栽培用スクリーン装置５５０の模式図である。
第５実施形態の栽培用スクリーン装置５５０は、ルーバー５５１〜５５４（スクリーン）と、各ルーバー５５１〜５５４をそれぞれ回転駆動するモータ５８１〜５８４（反射角度調節部）とを備えている。
図８（Ａ）に示すように、各モータ５８１〜５８４が初期位置のときには、照明部からの光Ｃは、ルーバー５５１〜５５４へ角度αで入射し、光Ｄ１の方向に反射する。
図８（Ｂ）に示すように、各モータ５８１〜５８４が角度Ｅ回転したときには、照明部からの光Ｃは、ルーバー５５１〜５５４全体に角度βで入射し、光Ｄ２の方向に反射する。
図８（Ｃ）に示すように、モータ５８１、５８２が角度Ｅ回転し、モータ５８３、５８４が角度Ｆ回転したときには、照明部からの光Ｃは、上部のルーバー５５１、５５２に角度βで入射して光Ｄ２の方向に反射し、下部のルーバー５５３、５５４に角度γで入射して光Ｄ３の方向に反射する。
このように、本実施形態によれば、モータ５８１〜５８４の回転角度を変えるだけで、ルーバー５５１〜５５４への入射角度を、角度αから角度βにして、光を異なる方向（Ｄ１→Ｄ２）に反射させることができる。
また、モータ５８１、５８２の回転角度Ｅと、モータ５８３、５８４の回転角度Ｆを変えるだけで、照明部からの光Ｃは、上部のルーバー５５１、５５２と、下部のルーバー５５３、５５４の入射角度を、異なる角度（角度βと角度γ）で入射させ、光を異なる方向（Ｄ２、Ｄ３）に反射させることができる。
なお、ルーバーやモータの数を増やすことにより、反射光の方向をさらに細かに調節したり、各ルーバーで、複数の異なる角度に反射することができる。
また、モータによる電動調節の例で説明したが、手動で調節してもよい。
実施形態４，５において、反射面の向きは、０°より大きく４５°以下が好ましく、０°より大きく６０°以下が好ましい。
【００４７】
（第６実施形態）
図９は、第６実施形態の栽培用スクリーン装置６５０の模式図である。
第６実施形態の栽培用スクリーン装置６５０は、スクリーン６５１と、スクリーン６４１の一方の面に配置される遮光シート６５２と、スクリーン６５１と遮光シート６５２とを着脱自在に取り付ける面ファスナや両面テープなどの取付部材６５３とを備える。
図９（Ａ）に示すように、遮光シート６５２が取り付けられているときには、一方側にのみ反射させることができる。
また、図９（Ｂ）に示すように、遮光シート６５２が外されているときには、両方側に反射させることができる。
【００４８】
（第７実施形態）
図１０は、第７実施形態の栽培用スクリーン装置７５０の模式図である。
第７実施形態の栽培用スクリーン装置７５０は、長さの約分の２つの栽培用スクリーン装置７５０−１、７５０−２を縦に配置したものである。
図１０（Ａ）に示すように、２つの栽培用スクリーン装置７５０−１、７５０−２を両方とも降ろしているときには、上方、下方を共に光を反射させることができる。
図１０（Ｂ）に示すように、栽培用スクリーン装置７５０−１を巻き上げておき、栽培用スクリーン装置７５０−２のみを降ろしているときには、下方のみ光を反射させ、より局所的に光の制御をすることができる。
【００４９】
（第８実施形態）
図１１は、第８実施形態の栽培装置８０１の模式図である。
第８実施形態の栽培装置８０１は、栽培空間８１５の奥側に窓に対向配置された栽培用スクリーン装置８５０−１と、窓側に栽培用スクリーン装置８５０−２とを備えたものである。
図１１（Ａ）に示すように、昼間は、栽培用スクリーン装置８５０−１を下げ、栽培用スクリーン装置８５０−２を巻き上げておき、照明部８３０は、消しておく。この場合には、外光が窓８０５から植物に直接当たると共に、栽培用スクリーン装置８５０−１から反射した光も植物に当たる。
図１１（Ｂ）に示すように、夜間は、栽培用スクリーン装置８５０−１、８５０−２を下げておき、照明部８３０は、点灯する。この場合には、照明部８３０からの光は、栽培用スクリーン装置８５０−１、８５０−２で反射して植物に当たる。
【００５０】
（第９実施形態）
図１２は、第９実施形態の栽培装置９１０を上側Ｚ２から見た状態において、各部材の配置を説明する図（図２に対応する図）である。
図１３は、第９実施形態の栽培装置９１０を手前側Ｙ１から見た断面図（図１２の１３−１３断面図）である。
図１４は、第９実施形態の栽培用スクリーン装置９５０の取り付け方法を説明する斜視図である。
なお、各図面において、各面ファスナの外形、厚さは、構成を分かりやすくするために、誇張して図示した。実際の各面ファスナの外形、厚さは、各部材間を使用上十分な強度で接合できる程度であればよい。
【００５１】
図１２、図１３に示すように、栽培装置９１０は、支柱９７０、栽培用スクリーン装置９５０を備える。
支柱９７０は、栽培用スクリーン装置９５０を支持するための部材である。支柱９７０は、１つの栽培用スクリーン装置９５０当たり、２つ設けられている。支柱９７０の材質は、限定されないが、例えば、光を透過する透明な樹脂製であってもよい。
支柱９７０は、天井１２から下側Ｚ１に向けて延びるように、天井１２に固定されている。
【００５２】
図１４に示すように、支柱９７０は、３つの面ファスナ９７０ｂを備える。
面ファスナ９７０ｂは、栽培用スクリーン装置９５０の取り付けに用いられる。３つの面ファスナ９７０ｂの設置位置は、後述する第１スクリーン９６１の３つの面ファスナ９６１ｂ、又は第２スクリーン９６２の３つの面ファスナ９６２ｂに対応している。
【００５３】
なお、支柱９７０の大きさは、誇張して図示しており、実際には図示したものよりも十分に細い。このため、支柱９７０が、光を遮ることは殆んどない。また、支柱９７０の形態は、例えば、枠状でもよく、栽培装置９１０の床面に設置された形態でもよい。
さらに、支柱９７０は、栽培空間１５内に面ファスナ９７０ｂを配置するための一形態である。例えば、面ファスナ９７０ｂは、栽培装置９１０の壁面等に設置してもよい。この形態の場合には、支柱９７０は、不要である。
【００５４】
図１２、図１３に示すように、栽培用スクリーン装置９５０の設置領域は、第１実施形態と同様である。つまり、栽培空間１５の縁部に栽培用スクリーン装置９５０Ａが設置され、また、照明部３０間に栽培用スクリーン装置９５０Ｂが設置されている。
９つの栽培用スクリーン装置９５０の構成は、ほぼ同様である。
栽培用スクリーン装置９５０は、第１スクリーン９６１、第２スクリーン９６２を備える。
第１スクリーン９６１、第２スクリーン９６２の材質は、第１実施形態と同様である。なお、第１実施形態と同様に、栽培空間１５の縁部に配置される第１スクリーン９６１、第２スクリーン９６２は、栽培空間１５の内側の面（第１面）のみ反射シートを設ける。一方、照明部３０間に配置される第１スクリーン９６１、第２スクリーン９６２は、両面（第１面及び第２面）に反射シートを設ける。
【００５５】
以下、図１２に示す左下に設置された栽培用スクリーン装置９５０（９５０Ａ）の形態を例に、説明する。
図１４に示すように、第１スクリーン９６１、第２スクリーン９６２は、左側Ｘ１から右側Ｘ２に向かって、この順番で配置される。
第１スクリーン９６１、第２スクリーン９６２の外形は、ほぼ同様な大きさの長方形である。
第１スクリーン９６１は、２つの面ファスナ９６１ａ（接合部）、３つの面ファスナ９６１ｂ（取り付け部）、２つの面ファスナ９６１ｃ（保持部）を備える。
【００５６】
２つの面ファスナ９６１ａは、第１スクリーン９６１及び第２スクリーン９６２を接続するためのものである。面ファスナ９６１ａは、第１スクリーン９６１の面のうち裏面側（第２スクリーン９６２側）に設けられている。面ファスナ９６１ａは、右側Ｘ２（第２スクリーン９６２側）の２つのコーナ部に設けられている。
【００５７】
３つの面ファスナ９６１ｂは、栽培用スクリーン装置９５０を支柱９７０に取り付けるためのものである。３つの面ファスナ９６１ｂは、第１スクリーン９６１の面のうち裏面側（奥側Ｙ２）に設けられている。面ファスナ９６１ｂは、左側Ｘ１（第２スクリーン９６２とは異なる側）の２つのコーナ部と、左縁部の中央とに設けられている。
【００５８】
２つの面ファスナ９６１ｃは、後述するように、収穫時に利用するためのものである。面ファスナ９６１ｃは、第１スクリーン９６１の面のうち表面側（手前側Ｙ１）に設けられている。面ファスナ９６１ｃは、第１スクリーン９６１の上縁部の中央、下縁部の中央にそれぞれ設けられている。
【００５９】
第２スクリーン９６２は、２つの面ファスナ９６２ａ（接合部）、３つの面ファスナ９６２ｂ（取り付け部）、２つの面ファスナ９６２ｃ（保持部）を備える。
２つの面ファスナ９６２ａは、第１スクリーン９６１及び第２スクリーン９６２を接続するためのものである。面ファスナ９６２ａは、第２スクリーン９６２の面のうち表面側（第１スクリーン９６１側）に設けられている。面ファスナ９６２ａは、左側Ｘ１（第１スクリーン９６１側）の２つのコーナ部に設けられている。
【００６０】
３つの面ファスナ９６２ｂは、面ファスナ９６１ｂと同様に、栽培用スクリーン装置９５０を支柱９７０に取り付けるためのものである。面ファスナ９６２ｂは、第２スクリーン９６２の面のうち裏面側に設けられている。面ファスナ９６２ｂは、右側Ｘ２（第１スクリーン９６１とは異なる側）の２つのコーナ部と、右縁部の中央とに設けられている。
【００６１】
２つの面ファスナ９６２ｃは、面ファスナ９６１ｃと同様に、収穫時に利用するためのものである。面ファスナ９６２ｃは、第２スクリーン９６２の面のうち表面側に設けられている。面ファスナ９６２ｃは、第２スクリーン９６２の上縁部の中央、下縁部の中央にそれぞれ設けられている。
【００６２】
（設置方法）
栽培用スクリーン装置９５０の設置方法について説明する。
作業者は、以下の工程に従って、栽培用スクリーン装置９５０を栽培装置９１０に設置できる。
（１）図１４（Ａ）に示すように、第１スクリーン９６１の２つの面ファスナ９６１ａと、第２スクリーン９６２の２つの面ファスナ９６２ａとを接合する。面ファスナ９６１ａ，９６２ａは、それぞれ第１スクリーン９６１のコーナ部、第２スクリーン９６２のコーナ部に設けられている。このため、第１スクリーン９６１、第２スクリーン９６２が接合した状態では、重なり部９６５（図１４（Ｂ）参照）を有する。
（２）第１スクリーン９６１の３つの面ファスナ９６１ｂ及び第２スクリーン９６２の３つの面ファスナ９６２ｂを、支柱９７０の６つの面ファスナ９７０ｂにそれぞれ接合する。
【００６３】
以上により、栽培用スクリーン装置９５０は、第１スクリーン９６１及び第２スクリーン９６２が接合された状態で、６か所（４つのコーナ部、左右の縁部の中央）の面ファスナ９６１ｂ，９６２ｂによって、支柱９７０に取り付けられる。
第１スクリーン９６１、第２スクリーン９６２は、第１実施形態と同様に、反射面が照明光を反射可能に配置される。
また、第１スクリーン９６１、第２スクリーン９６２は、重なり部９６５を有するので、連結部分から光が漏れることがない。
なお、詳細な説明は省略するが、第１スクリーン９６１及び第２スクリーン９６２を支柱９７０から取り外す場合には、面ファスナ９６１ｂ，９６２ｂと、支柱９７０の面ファスナ９７０ｂとを分離すればよいので、作業が簡単である。
【００６４】
（使用方法）
図１５は、第９実施形態の栽培用スクリーン装置９５０の使用方法を説明する斜視図である。
図１５（Ａ）は、生長度合の確認作業時の使用方法を説明する図である。
図１５（Ｂ）は、収穫時の使用方法を説明する図である。
【００６５】
（生長度合の確認作業時の使用方法）
図１４（Ｂ）、図１５（Ａ）に示すように、鉛直方向Ｚの位置関係において、面ファスナ９６１ａ、面ファスナ９６２ａは、重なり部９６５の両端で第１スクリーン９６１及び第２スクリーン９６２を接合した形態となる。このため、重なり部９６５の両端間の部分９６５ａでは、第１スクリーン９６１、第２スクリーン９６２は、接合されていない。
このため、作業者は、植物Ｐの生長度合を確認したい場合には、第１スクリーン９６１の右縁部及び第２スクリーン９６２の左縁部を手で掴んで、左右に開けばよい。これにより、重なり部９６５のうち両端間の部分９６５ａが開口する。
これにより、作業者は、第１スクリーン９６１及び第２スクリーン９６２が設置された状態のまま、生長度合の確認作業を容易に行うことができる。
なお、作業者は、確認作業が終わった場合には、第１スクリーン９６１、第２スクリーン９６２から手を離すことにより、第１スクリーン９６１、第２スクリーン９６２を重なった状態に戻すことができる。
【００６６】
（収穫時の使用方法）
図１５（Ｂ）に示すように、作業者は、収穫時には、栽培用スクリーン装置９５０を以下のように変形すればよい。
（１）第１スクリーン９６１の下側Ｚ１の面ファスナ９６１ｂと、支柱９７０の面ファスナ９７０ｂとを分離する。同様に、第２スクリーン９６２の下側Ｚ１の面ファスナ９６２ｂと、支柱９７０の面ファスナ９７０ｂとを分離する。
（２）第１スクリーン９６１及び第２スクリーン９６２の下側Ｚ１の領域を、中央を折り線として、上側Ｚ２に折り返す。
（３）第１スクリーン９６１の２つの面ファスナ９６１ｃ同士を接合する。同様に、第２スクリーン９６２の２つの面ファスナ９６２ｃ同士を接合する。
【００６７】
以上により、２つの面ファスナ９６１ｃ、２つの面ファスナ９６２ｃは、第１スクリーン９６１及び第２スクリーン９６２を、中央で折り返した状態で保持できる。第１スクリーン９６１及び第２スクリーン９６２の下側Ｚ１が大きく開口しているので、作業者は、収穫時の作業がしやすい。
なお、作業者は、収穫作業が終わった場合には、２つの面ファスナ９６１ｃを分離し、かつ、２つの面ファスナ９６２ｃを分離した後、再度、下側Ｚ１の面ファスナ９６１ｂ，９６２ｂと、支柱９７０の面ファスナ９７０ｂとを接合すればよい。このように、第１スクリーン９６１及び第２スクリーン９６２を元に戻す作業は、容易である。
【００６８】
以上説明したように、本実施形態の栽培用スクリーン装置９５０は、２つの第１スクリーン９６１及び第２スクリーン９６２を重なり部９６５を有するように接合することにより、光漏れすることなく光を反射でき、また、生長度合の確認作業等が容易である。
なお、本実施形態の第１スクリーン９６１及び第２スクリーン９６２は、前述した実施形態のスクリーンに用いてよい。
例えば、第１スクリーン９６１及び第２スクリーン９６２を第１実施形態のスクリーンに適用すれば、スクリーンを巻き取ることなく、生長度合の確認、収穫等の作業を行うことができる。
また、第１スクリーン９６１及び第２スクリーン９６２を第２実施形態のスクリーンに適用すれば、スクリーンを折り畳むことなく、生長度合の確認、収穫等の作業を行うことができる。
【００６９】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７０】
（変形形態）
（１）実施形態において、栽培用スクリーン装置は、水耕栽培に用いられる例を示したが、これに限定されない。栽培用スクリーン装置は、土壌栽培に用いてもよく、また、屋外での栽培に用いてもよい。
【００７１】
（２）実施形態において、栽培空間は、壁、天井によって、仕切られる例を示したが、これに限定されない。栽培空間は、外部空間に連通した空間でもよい。この場合には、栽培装置は、壁、天井等を設けずに、例えばパイプ等によって骨組を構成すればよい。
【００７２】
（３）栽培用スクリーン装置は、地面に配置することも可能であり、その場合には、奥側を浮き上がらせるようにすればよい。
【符号の説明】
【００７３】
１  栽培設備
１０，３１０，９１０  栽培装置
１５  栽培空間
２０，３２０
３０  照明部
５０，５０Ａ，５０Ｂ，２５０，３５０，３５０Ａ，３５０Ｂ，９５０，９５０Ａ，９５０Ｂ  栽培用スクリーン装置
５１，２５１  スクリーン
５１ｂ  反射シート
５５  反射位置
６０，２６０  スクリーン支持部
６２  ローラ
２６０  スクリーン支持部
３６５  モータ
３８１  照度検出部
３８２，３８２ａ〜３８２ｄ  高さ検出部
３８３  重量検出部
３９０  制御装置
３９２  制御部
９６１  第１スクリーン
面ファスナ  ９６１ａ，９６１ｂ，９６１ｃ，９６２ａ，９６２ｂ，９６２ｃ，９７０ｂ
９６２  第２スクリーン
９６５  重なり部
９７０  支柱
【図１】
2016198082.tif 000003
【図２】
2016198082.tif 000004
【図３】
2016198082.tif 000005
【図４】
2016198082.tif 000006
【図５】
2016198082.tif 000007
【図６】
2016198082.tif 000008
【図７】
2016198082.tif 000009
【図８】
2016198082.tif 000010
【図９】
2016198082.tif 000011
【図１０】
2016198082.tif 000012
【図１１】
2016198082.tif 000013
【図１２】
2016198082.tif 000014
【図１３】
2016198082.tif 000015
【図１４】
2016198082.tif 000016
【図１５】
2016198082.tif 000017